(57)【要約】【課題】噴霧装置から噴霧されるミストの吸引による吸気装置の故障を抑制できる便座装置及びトイレ装置を提供する。【解決手段】大便器の上部に設置される便座装置であって、使用者が着座する便座と、前記大便器内及び前記便座にミストを噴霧する噴霧装置と、前記大便器内の空気を吸引する吸気装置と、前記噴霧装置及び前記吸気装置を制御する制御装置と、を備え、前記制御装置は、前記噴霧装置が動作している状態における前記吸気装置の吸引風量が、前記噴霧装置が動作していない状態における前記吸気装置の吸引風量よりも弱くなるように、前記吸気装置を制御することを特徴とする便座装置。【選択図】図８
2019170475.tif 000002
【特許請求の範囲】
【請求項１】
大便器の上部に設置される便座装置であって、
使用者が着座する便座と、
前記大便器内及び前記便座にミストを噴霧する噴霧装置と、
前記大便器内の空気を吸引する吸気装置と、
前記噴霧装置及び前記吸気装置を制御する制御装置と、
を備え、
前記制御装置は、前記噴霧装置が動作している状態における前記吸気装置の吸引風量が、前記噴霧装置が動作していない状態における前記吸気装置の吸引風量よりも弱くなるように、前記吸気装置を制御することを特徴とする便座装置。
【請求項２】
前記制御装置は、前記噴霧装置が動作する状態において、前記吸気装置の動作を禁止することを特徴とする請求項１記載の便座装置。
【請求項３】
前記制御装置は、前記噴霧装置が動作していない状態から動作する状態になったときに、前記吸気装置の動作を禁止し、前記噴霧装置が動作している状態から動作しない状態になったときに、前記吸気装置の動作の禁止を解除することを特徴とする請求項２記載の便座装置。
【請求項４】
前記制御装置は、前記吸気装置の動作の禁止において、前記吸気装置を動作させる指令の受付を停止するとともに、前記吸気装置が動作している場合には前記吸気装置の動作を中断することを特徴とする請求項３記載の便座装置。
【請求項５】
前記制御装置は、前記吸気装置の動作の禁止の解除において、前記吸気装置を動作させる指令の受付を再開するとともに、前記吸気装置の動作を中断した場合には前記吸気装置の動作を再開することを特徴とする請求項４記載の便座装置。
【請求項６】
前記噴霧装置から噴霧されるミストの平均粒径は、前記吸気装置の吸気口の近傍において、６０μｍ以下であることを特徴とする請求項１〜５のいずれか１つに記載の便座装置。
【請求項７】
汚物を受けるボウル部を有する大便器と、
請求項１〜６のいずれか１つに記載の便座装置と、
を備えたことを特徴とするトイレ装置。
【発明の詳細な説明】
【技術分野】
【０００１】
本発明の態様は、一般的に、便座装置及びトイレ装置に関する。
【背景技術】
【０００２】
トイレ装置において、大便器、便座、及び便蓋等のトイレ装置の隅々に、オゾン水や電解殺菌水、高温水等の水をミスト状で噴霧する噴霧装置を設けることが知られている（特許文献１）。このようなミストの噴霧装置は、例えば、大便器の上部に設置される便座装置に設けられる。これにより、大便器、便座、及び便蓋等における菌や汚れの発生を抑制することができる。
【０００３】
また、便座装置に、脱臭装置を設けることが知られている（特許文献２）。このような脱臭装置は、吸気装置により大便器内の空気を吸引し、脱臭する。これにより、大便器内の空気に含まれる悪臭成分などを低減させることができる。
【先行技術文献】
【特許文献】
【０００４】
【特許文献１】特開２００７−１３８６０５号公報
【特許文献２】特開２００２−２７５９９０号公報
【発明の概要】
【発明が解決しようとする課題】
【０００５】
特許文献２のような脱臭装置（吸気装置）を備えた便座装置において、特許文献１のようなミストの噴霧装置を設けると、トイレ装置の隅々にミストを噴霧した際に、吸気装置の吸気口の近くにもミストが噴霧される。その状態で吸気装置を動作させると、吸気装置によって空気とともに吸引されたミストが吸気装置内に侵入し、吸気装置が故障する恐れがあるという問題がある。
【０００６】
本発明は、かかる課題の認識に基づいてなされたものであり、噴霧装置から噴霧されるミストの吸引による吸気装置の故障を抑制できる便座装置及びトイレ装置を提供することを目的とする。
【課題を解決するための手段】
【０００７】
第１の発明は、大便器の上部に設置される便座装置であって、使用者が着座する便座と、前記大便器内及び前記便座にミストを噴霧する噴霧装置と、前記大便器内の空気を吸引する吸気装置と、前記噴霧装置及び前記吸気装置を制御する制御装置と、を備え、前記制御装置は、前記噴霧装置が動作している状態における前記吸気装置の吸引風量が、前記噴霧装置が動作していない状態における前記吸気装置の吸引風量よりも弱くなるように、前記吸気装置を制御することを特徴とする便座装置である。
【０００８】
この便座装置によれば、噴霧装置が動作している状態における吸気装置の吸引風量を、噴霧装置が動作していない状態における吸気装置の吸引風量よりも弱くすることで、噴霧装置から噴霧されるミストを吸気装置が吸引することを抑制できる。従って、噴霧装置から噴霧されるミストの吸引による吸気装置の故障を抑制することができる。
【０００９】
第２の発明は、第１の発明において、前記制御装置は、前記噴霧装置が動作する状態において、前記吸気装置の動作を禁止することを特徴とする便座装置である。
【００１０】
この便座装置によれば、吸気装置が動作する状態において、吸気装置による吸引を行わない。これにより、噴霧装置から噴霧されるミストを吸気装置が吸引することをより確実に抑制できる。従って、噴霧装置から噴霧されるミストの吸引による吸気装置の故障をより確実に抑制することができる。
【００１１】
第３の発明は、第２の発明において、前記制御装置は、前記噴霧装置が動作していない状態から動作する状態になったときに、前記吸気装置の動作を禁止し、前記噴霧装置が動作している状態から動作しない状態になったときに、前記吸気装置の動作の禁止を解除することを特徴とする便座装置である。
【００１２】
この便座装置によれば、噴霧装置が動作する間だけ吸気装置の動作を禁止する。これにより、噴霧装置から噴霧されるミストを吸気装置が吸引することをより確実に抑制できるとともに、吸気装置の動作時間が短くなり過ぎることを抑制できる。従って、噴霧装置から噴霧されるミストの吸引による吸気装置の故障をより確実に抑制できるとともに、吸気装置による脱臭などをより効果的に行うことができる。
【００１３】
第４の発明は、第３の発明において、前記制御装置は、前記吸気装置の動作の禁止において、前記吸気装置を動作させる指令の受付を停止するとともに、前記吸気装置が動作している場合には前記吸気装置の動作を中断することを特徴とする便座装置である。
【００１４】
この便座装置によれば、噴霧装置が動作する前に吸気装置が動作中であっても、噴霧装置が動作を開始するタイミングで、吸気装置の動作を中断する。また、噴霧装置が動作する間は吸気装置を動作させる指令を受け付けない。これにより、噴霧装置から噴霧されるミストを吸気装置が吸引することをより確実に抑制できる。従って、噴霧装置から噴霧されるミストの吸引による吸気装置の故障をより確実に抑制できる。
【００１５】
第５の発明は、第４の発明において、前記制御装置は、前記吸気装置の動作の禁止の解除において、前記吸気装置を動作させる指令の受付を再開するとともに、前記吸気装置の動作を中断した場合には前記吸気装置の動作を再開することを特徴とする便座装置である。
【００１６】
この便座装置によれば、噴霧装置が動作を終了するタイミングで、吸気装置の動作を再開する。これにより、吸気装置の動作時間が短くなり過ぎることを抑制できる。従って、噴霧装置から噴霧されるミストの吸引による吸気装置の故障を抑制できるとともに、吸気装置による脱臭などをより効果的に行うことができる。
【００１７】
第６の発明は、第１〜第５のいずれか１つの発明において、前記噴霧装置から噴霧されるミストの平均粒径は、前記吸気装置の吸気口の近傍において、６０μｍ以下であることを特徴とする便座装置である。
【００１８】
この便座装置によれば、平均粒径が小さく、吸引装置に吸引されやすいミストを噴霧する場合にも、噴霧装置から噴霧されるミストを吸気装置が吸引することを抑制できる。従って、噴霧装置から噴霧されるミストの吸引による吸気装置の故障をより確実に抑制することができる。
【００１９】
第７の発明は、汚物を受けるボウル部を有する大便器と、第１〜第６のいずれか１つの発明の便座装置と、を備えたことを特徴とするトイレ装置である。
【００２０】
このトイレ装置によれば、噴霧装置から噴霧されるミストの吸引による吸気装置の故障を抑制できるトイレ装置が提供される。
【発明の効果】
【００２１】
本発明の態様によれば、噴霧装置から噴霧されるミストの吸引による吸気装置の故障を抑制できる便座装置及びトイレ装置が提供される。
【図面の簡単な説明】
【００２２】
【図１】実施形態に係るトイレ装置を例示する斜視図である。
【図２】実施形態に係るトイレ装置の一部を例示する断面図である。
【図３】実施形態に係る便座装置の要部構成を例示するブロック図である。
【図４】図４（ａ）〜図４（ｅ）は、実施形態に係るトイレ装置を例示する平面図及び斜視図である。
【図５】図５（ａ）〜図５（ｃ）は、実施形態に係る別のトイレ装置を例示する斜視図である。
【図６】図６（ａ）〜図６（ｃ）は、実施形態に係る噴霧装置を例示する模式図である。
【図７】図７（ａ）及び図７（ｂ）は、実施形態に係る噴霧装置のディスクを例示する平面図である。
【図８】実施形態に係る便座装置のプレミストモードにおける動作を例示するフローチャートである。
【図９】実施形態に係る便座装置のアフターミストモードにおける動作を例示するフローチャートである。
【図１０】実施形態に係る便座装置の手動ミストモードにおける動作を例示するフローチャートである。
【図１１】実施形態に係る便座装置の変形例の手動吸気モードにおける動作を例示するフローチャートである。
【図１２】図１２（ａ）及び図１２（ｂ）は、実施形態に係る粒径の測定方法を例示する斜視図である。
【図１３】図１３（ａ）及び図１３（ｂ）は、実施形態の変形例に係るトイレ装置の一部を例示する平面図及び断面図である。
【発明を実施するための形態】
【００２３】
以下、本発明の実施の形態について図面を参照しつつ説明する。なお、各図面中、同様の構成要素には同一の符号を付して詳細な説明は適宜省略する。  
図１は、実施形態に係るトイレ装置を例示する斜視図である。  
図２は、実施形態に係るトイレ装置の一部を例示する断面図である。
【００２４】
図１に表したトイレ装置１０は、洋式腰掛便器（以下説明の便宜上、単に「大便器」と称する）８００と、便座装置１００と、を備える。大便器８００は、汚物を受ける凹状のボウル部８０１を有する。便座装置１００は、大便器８００の上部に設置されている。
【００２５】
便座装置１００は、ケーシング４００と、使用者が着座する便座２００と、便蓋３００と、を有する。便座２００と便蓋３００とは、それぞれ、ケーシング４００に対して開閉自在に軸支されている。図１の状態は、便座２００が閉じた状態（下げられた状態）であり、便蓋３００が開いた状態（上げられた状態）である。便蓋３００は、閉じた状態では、便座２００の上面２０３（着座面）を上方から覆う。
【００２６】
ケーシング４００の内部には、便座２００に座った使用者の人体局部（「おしり」など）の洗浄を実現する身体洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えばリモコンなどの手動操作部５００を操作すると、洗浄ノズル（以下説明の便宜上、単に「ノズル」と称する）４７３を大便器８００のボウル部８０１内に進出させることができる。なお、図１に表した便座装置１００では、ノズル４７３がボウル部８０１内に進出した状態を表している。
【００２７】
ノズル４７３の先端部には、ひとつまたは複数の吐水口４７４が設けられている。そして、ノズル４７３は、その先端部に設けられた吐水口４７４から水を噴射して、便座２００に座った使用者の「おしり」などを洗浄することができる。  
なお、本願明細書において、「上方」、「下方」、「前方」、「後方」、「左側方」及び「右側方」のそれぞれは、開いた便蓋３００に背を向けて便座２００に座った使用者から見た方向である。
【００２８】
図２に示すように、ボウル部８０１内には、溜水８０１ｗが溜められている。例えば、使用者が、リモコン等に設けられたスイッチによって便器洗浄の操作を行うと、または、使用者が便座２００から立ち上がると、便器洗浄（ボウル部８０１内の汚物を排出し、ボウル部８０１の表面を洗浄する動作）が実行される。便器洗浄においては、ボウル部８０１内に洗浄水が供給される。例えば、図２の例では、ボウル給水口８１１から大便器８００の上縁に沿って洗浄水が吐出される。
【００２９】
大便器８００は、上部にリム部８０５を有する。リム部８０５は、大便器８００の上縁部を形成する環状部分である。リム部８０５は、上面８０６と、内壁面８０７と、を有する。上面８０６は、閉じられた便座２００の下面２０４と向き合う面である。上面８０６は、例えば、大便器８００の上面を構成する。内壁面８０７は、例えば、ボウル部８０１の上部を構成する。内壁面８０７は、大便器８００の内壁（ボウル部８０１の中央側に面する壁面）のうち、便器洗浄の洗浄水が流れる部分よりも、上方の部分である。すなわち、本願明細書において、リム部８０５の内壁面８０７とは、便器洗浄における不洗浄部をいう。図２の例では、内壁面８０７は、棚状に屈曲した屈曲部８０５Ｂより上方に位置する立面を含む。
【００３０】
図３は、実施形態に係る便座装置の要部構成を例示するブロック図である。  
なお、図３は、水路系と電気系の要部構成を併せて表している。  
便座装置１００は、電磁弁４３１、除菌装置４５０、切替弁４７２、噴霧装置４８１、ノズルモータ４７６、ノズル４７３、ノズル洗浄室４７８、及び流路１１０〜１１３などを有する。これらは、ケーシング４００内に配置されている。
【００３１】
流路１１０は、水道や貯水タンクなどの図示しない給水源から供給された水を噴霧装置４８１やノズル４７３などに導くための流路である。流路１１０の上流側には、電磁弁４３１が設けられている。電磁弁４３１は、開閉可能な電磁バルブであり、ケーシング４００の内部に設けられた制御装置４０５からの指令に基づいて水の供給を制御する。
【００３２】
流路１１０上において、電磁弁４３１の下流には、除菌水を生成する除菌装置４５０が設けられている。除菌装置４５０は、例えば次亜塩素酸などを含む除菌水を生成する。除菌装置４５０としては、例えば、電解槽ユニットが挙げられる。電解槽ユニットは、制御装置４０５からの通電の制御によって、陽極板（図示せず）と陰極板（図示せず）との間の空間（流路）を流れる水道水を電気分解する。なお、除菌水は、次亜塩素酸を含むものには限定されない。例えば、除菌水は、銀イオンや銅イオンなどの金属イオンを含む溶液、電解塩素やオゾンなどを含む溶液、酸性水、または、アルカリ水などでもよい。除菌装置４５０は電解槽に限らず、除菌水を生成可能な任意の構成でよい。また、本願明細書において、「除菌」とは、菌を減らす作用のことをいう。除菌水は、少なくとも菌を減らす作用を有するものであればよい。除菌水は、換言すれば、菌を減らす作用を有する機能水である。
【００３３】
流路１１０上において、除菌装置４５０の下流には、切替弁４７２が設けられている。切替弁４７２の下流には、ノズル４７３、ノズル洗浄室４７８及び噴霧装置４８１が設けられている。流路１１０は、切替弁４７２により、ノズル４７３へ水を導く流路１１１、ノズル洗浄室４７８へ水を導く流路１１２、及び、噴霧装置４８１へ水を導く流路１１３に分岐している。切替弁４７２は、制御装置４０５からの指令に基づいて、流路１１１、流路１１２及び流路１１３のそれぞれの開閉を制御する。つまり、切替弁４７２は、ノズル４７３、ノズル洗浄室４７８及び噴霧装置４８１への水の供給を制御する。また、切替弁４７２は、その下流に供給する水の流量を切り替える。
【００３４】
ノズル４７３は、ノズルモータ４７６からの駆動力を受け、便器８００のボウル部８０１内に進出したり後退したりする。つまり、ノズルモータ４７６は、制御装置４０５からの指令に基づいてノズル４７３を進退させる。ノズル４７３は、非使用時には、ケーシング４００内に収納されている。ノズル４７３は、ケーシング４００から前方へ進出した状態で、吐水口４７４から水を吐出して、人体局部を洗浄する。
【００３５】
ノズル洗浄室４７８は、その内部に設けられた吐水口から除菌水あるいは水道水を噴射することにより、ノズル４７３の外周表面（胴体）を洗浄する。
【００３６】
噴霧装置４８１は、上水または除菌装置４５０で生成された除菌水をミスト状にする。噴霧装置４８１は、大便器８００の内部（ボウル部８０１）及び上面（リム部８０５の上面８０６）、並びに便座２００に、ミストＭ（除菌水のミストまたは上水のミスト）を噴霧する。言い換えれば、噴霧装置４８１は、除菌水のミストまたは上水のミストを、大便器８００の内部及び上面、並びに便座２００に着水させる。なお、本願明細書において「着水」とは、水（除菌水または上水）が物体の表面に付着することをいう。また、上水は、例えば、水道水や井戸水などである。
【００３７】
また、ケーシング４００の内部には、便座用モータ５１１（回動装置）、便蓋用モータ５１２（回動装置）、送風装置５１３、温風ヒータ５１４、及び吸気装置５２０が設けられている。  
便座用モータ５１１は、制御装置４０５からの指令に基づいて、電動で便座２００を回動させ開閉する。便蓋用モータ５１２は、制御装置４０５からの指令に基づいて、電動で便蓋３００を回動させ開閉する。
【００３８】
送風装置５１３は、例えばケーシング４００の内部に設けられたファンである。送風装置５１３は、制御装置４０５からの指令に基づいて動作する。例えば、送風装置５１３のモータの回転に伴い羽根が回転する。これにより、送風装置５１３は、大便器８００内（ボウル部８０１）に向けて送風することができる。また、送風装置５１３は、便座２００に座った使用者の局部に送風してもよい。温風ヒータ５１４は、送風装置５１３によってケーシング４００の外部へ送られる空気を温める。これにより、使用者の局部に向けて温風を送り、局部を乾燥させることができる。
【００３９】
吸気装置５２０は、例えば、ケーシング４００の内部に設けられたファンを有する。吸気装置５２０は、制御装置４０５からの指令に基づいて動作する。例えば、吸気装置５２０のモータの回転に伴い羽根が回転する。これにより、吸気装置５２０は、大便器８００内（ボウル部８０１内）の空気を吸引することができる。吸気装置５２０は、例えば、脱臭装置である。吸引された空気は、例えば、脱臭用触媒などにより脱臭され、排気口を介してケーシング４００の外部に排出される。制御装置４０５は、例えば、使用者が便座２００から離れたことを着座検知センサ４０４が検知した際に、吸気装置５２０を所定時間動作させる（自動吸気モード）。また、制御装置４０５は、例えば、使用者が手動操作部５００を操作すると、手動操作部５００の操作情報に基づいて、吸気装置５２０を所定時間動作させる（手動吸気モード）。
【００４０】
便座ヒータ５１５（乾燥装置）は、例えば、便座２００の内部に設けられている。便座ヒータ５１５は、例えば、便座２００の中央に形成された開口２００ａの周りに沿って設けられた環状の金属部材を有する。制御装置４０５からの指令に基づいて便座ヒータ５１５に通電が行われることで、便座ヒータ５１５は、便座２００を温める。便座ヒータ５１５としては、例えば、チュービングヒータや、シーズヒータ、ハロゲンヒータ、カーボンヒータなどを用いてもよい。金属部材は、例えば、アルミニウムや銅などで構成される。また、金属部材の形状は、シート状やワイヤ状、メッシュ状など、種々の形状を採用することができる。
【００４１】
制御装置４０５には、図示しない電源回路から電力を供給される回路が用いられる。例えば、制御装置４０５は、マイコンなどの集積回路を含む。制御装置４０５は、使用者を検知する検知センサ４０２（例えば人体検知センサ４０３または着座検知センサ４０４）の検知情報、または手動操作部５００の操作情報に基づいて、電磁弁４３１、除菌装置４５０、切替弁４７２、ノズルモータ４７６、送風装置５１３、温風ヒータ５１４、便座ヒータ５１５、吸気装置５２０、便座用モータ５１１、及び便蓋用モータ５１２を制御する。
【００４２】
手動操作部５００は、使用者が例えば任意のタイミングで除菌水の噴霧を行うための操作部である。例えば、手動操作部５００は、スイッチまたはボタンなどを有するリモコンであり、使用者が手動操作部５００を操作すると、除菌水の噴霧を指示する操作情報（信号）が制御装置４０５に送られる。制御装置４０５は、その操作情報に基づいて除菌装置４５０や噴霧装置４８１を制御する。これにより、使用者は、手動操作部５００を操作することで、除菌水の噴霧を行うことができる。
【００４３】
また、手動操作部５００は、除菌水の噴霧だけでなく、使用者が便座装置１００の各機能を操作するためのスイッチやボタンなどを有していてもよい。各機能に対応した操作が行われると、その操作情報が制御装置４０５に送られ、制御装置４０５は、その操作情報に基づいて、便座装置１００の各部の動作を制御する。
【００４４】
着座検知センサ４０４は、使用者の便座２００への着座の有無を検知することができる。着座検知センサ４０４は、使用者の着座及び離座を検知する。着座検知センサ４０４には、マイクロ波センサ、測距センサ（赤外線投光式センサ）、超音波センサ、タクトスイッチ、静電容量スイッチ（タッチセンサ）、または歪みセンサを用いることができる。この例では、着座検知センサ４０４には、ケーシング４００に設けられた測距センサが用いられている。
【００４５】
なお、タクトスイッチ、静電センサ及び歪みセンサなどの接触式センサを用いる場合には、これらの接触式センサは、便座２００に設けられる。便座２００に使用者が座ると、使用者の体重によってタクトスイッチが押下される。または、使用者が静電センサに接触する。または、使用者の体重によって歪みセンサに圧力が加えられる。これらのセンサからの電気信号により、使用者の着座を検知することができる。
【００４６】
人体検知センサ４０３は、大便器８００の前方にいる使用者、すなわち便座２００から前方へ離間した位置に存在する使用者を検知することができる。つまり、人体検知センサ４０３は、トイレ室に入室して便座２００に近づいてきた使用者を検知することができる。このような人体検知センサとして、例えば、焦電センサ、マイクロ波センサ、超音波センサ、または測距センサ（赤外線投光式センサ）を用いることができる。この例では、人体検知センサ４０３には、ケーシングに設けられた焦電センサが用いられている。また、人体検知センサ４０３は、トイレ室のドアを開けて入室した直後の使用者や、トイレ室に入室する直前の使用者、すなわちトイレ室に入室しようとしてドアの前に存在する使用者を検知してもよい。例えば、マイクロ波センサを用いた場合には、トイレ室のドア越しに使用者の存在を検知することが可能となる。
【００４７】
制御装置４０５は、人体検知センサ４０３の検知情報（使用者の存在の有無を示す信号）及び着座検知センサ４０４の検知情報（使用者の着座の有無を示す信号）を受信し、受信した検知情報に基づいて、便座装置１００の各部の動作を制御する。
【００４８】
図４（ａ）〜図４（ｅ）は、実施形態に係るトイレ装置を例示する平面図及び斜視図である。  
図４（ａ）は、トイレ装置１０の一部を前方から見た状態を示す。  
図４（ａ）に示すように、噴霧装置４８１、ノズルダンパ４７９、及び送風ダンパ５１６は、便座装置１００が大便器８００の上部に設置された状態において、ボウル部８０１の後方上部に位置する。
【００４９】
図４（ｂ）は、図４（ａ）の一部を拡大して表す。なお、図４（ｂ）では、見易さのため、噴霧装置４８１の前方に位置するケーシング４００の一部を省略している。  
ノズルダンパ４７９は、ケーシング４００に対して回動可能に軸支されている。ノズル４７３は、ケーシング４００の内部に後退している状態では、ノズルダンパ４７９の後方に位置する。人体局部の洗浄時等において、ノズル４７３は、ノズルダンパ４７９に当接し、ノズルダンパ４７９を回動させて開き、ケーシング４００の内部から進出する。
【００５０】
図４（ｃ）〜図４（ｅ）は、噴霧装置４８１、ノズルダンパ４７９及び送風ダンパ５１６の周辺を拡大して表す斜視図である。  
送風ダンパ５１６は、ケーシング４００に対して回動可能に軸支されている。送風ダンパ５１６の後方には、送風装置５１３が配置されている。送風ダンパ５１６は、ケーシング４００の開口５１６ａを覆う。送風装置５１３から送られた空気は、開口５１６ａを通って、大便器８００内へ送られる。
【００５１】
図４（ｃ）は、送風装置５１３が動作を停止した状態であり、図４（ｄ）及び図４（ｅ）は、送風装置５１３が作動し、ボウル部８０１内に向けて送風している状態を示す。  
図４（ｃ）に示すように、送風が停止した状態においては、送風ダンパ５１６は、閉じている。  
図４（ｄ）に示すように、送風装置５１３が作動すると、送風ダンパ５１６は、送風装置５１３から送られる空気の圧力（風圧）により回動して開く。これにより、送風装置５１３は、例えば矢印Ａ１のように、ボウル部８０１内の後方上部からボウル部８０１内の前方下部へ向けて送風する。  
図４（ｅ）の状態においては、図４（ｄ）の状態に比べて、送風装置５１３が送る風量が多い（または風速が高い）。この場合には、送風ダンパ５１６は、図４（ｄ）の状態に比べて、さらに回動して開く。これにより、送風装置５１３は、例えば矢印Ａ２のように、ボウル部８０１内の後方上部からボウル部８０１内の前方上部へ向けて送風する。
【００５２】
このように、送風装置５１３から送られる風の方向は、送風ダンパ５１６によって変化する。言い換えれば、送風装置５１３は、風量（風速）によって送風方向を制御することができる。送風装置５１３からの送風によって生じる気流に、噴霧装置４８１から噴霧されたミストを乗せることで、ミストが着水する範囲、及び、各範囲におけるミストの着水量（各範囲に着水する除菌水または水道水の量）を制御してもよい。
【００５３】
吸気装置５２０は、例えば、ケーシング４００の下面に設けられた吸気口５２５から便器８００内の空気を吸引する。吸気口５２５は、例えば、送風ダンパ５１６よりも左側方側のケーシング４００の下面に設けられる。
【００５４】
図５（ａ）〜図５（ｃ）は、実施形態に係る別のトイレ装置を例示する斜視図である。  この例では、噴霧装置４８１の前方にミストダンパ４８２が設けられている。ミストダンパ４８２は、閉じた状態において、噴霧装置４８１の前方の少なくとも一部を覆う。例えば、ミストダンパ４８２は、閉じた状態において、図６に関して後述するディスク４８１ｂの前方を覆う。
【００５５】
ミストダンパ４８２は、例えばノズルダンパ４７９に対して固定されており、ノズルダンパ４７９と連動する。ノズルダンパ４７９が開くことでミストダンパ４８２も開き、ノズルダンパ４７９が閉じることでミストダンパ４８２も閉じる。
【００５６】
図５（ｂ）及び図５（ｃ）は、ノズルダンパ４７９及びミストダンパ４８２の周辺を拡大して表す。図５（ｂ）は、ノズル４７３がケーシング４００の内部に後退した状態である。このとき、ノズルダンパ４７９は、閉じた状態であり、ノズル４７３の前方を覆う。また、ミストダンパ４８２は、閉じた状態であり、噴霧装置４８１の少なくとも一部の前方を覆う。
【００５７】
噴霧装置４８１の不使用時には、図５（ｂ）のように、ミストダンパ４８２によって噴霧装置４８１をボウル部８０１側から隠蔽する。これにより、噴霧装置４８１に尿や汚れが付着することを防止することができる。
【００５８】
図５（ｃ）は、ノズル４７３が前方へ進出し、ノズルダンパ４７９を回動させた状態である。このときのノズル４７３の前方への進出距離は、人体局部洗浄時の前方への進出距離よりも短くてよい。例えば、ノズル４７３の先端は、ノズルダンパ４７９に当接している。また、図５（ｃ）において、ミストダンパ４８２は、ノズルダンパ４７９と共に回動し、開いている。噴霧装置４８１の一部（ディスク４８１ｂ）は、ボウル部８０１側へ露出している。これにより、噴霧装置４８１は、ボウル部８０１へ向けてミストを噴霧することができる。なお、例えば図１３に関して後述するように、ミストダンパ４８２を設けずに、噴霧装置４８１をケーシング４００内に配置してもよい。
【００５９】
図６（ａ）〜図６（ｃ）は、実施形態に係る噴霧装置を例示する模式図である。  
図６（ａ）は、噴霧装置４８１の斜視図であり、図６（ｂ）は、噴霧装置４８１の側面図である。  
噴霧装置４８１は、モータ４８１ａと、モータ４８１ａの下方に接続されたディスク４８１ｂと、を有する。モータ４８１ａの回転は、制御装置４０５によって制御される。モータ４８１ａが回転すると、回転の駆動力がディスク４８１ｂに伝達され、ディスク４８１ｂが回転する。
【００６０】
図６（ｂ）に示すように、ディスク４８１ｂの上面には、水Ｗ（水道水または除菌装置４５０で生成された除菌水）が供給される。ディスク４８１ｂの回転中に、水Ｗが供給されることで、噴霧装置４８１は、水Ｗをミスト状にして噴霧する。なお、この例では、ディスク４８１ｂは、平らな円板状であるが、適宜凹凸を設けたり、円錐形状や球体を用いたりしてもよい。
【００６１】
図６（ｃ）は、ディスク４８１ｂの一部を上方から見た拡大図である。回転するディスク４８１ｂの上面に滴下された水Ｗは、遠心力によって、ディスク４８１ｂ上で膜状に広がり、ディスク４８１ｂから放射される。このとき、水Ｗは、ディスク４８１ｂの縁付近から膜状のまま分裂したり、糸状となった後に分裂したりし、その後、微粒子ｐ（ミスト）となる。ディスク４８１ｂの回転速度、すなわち、モータ４８１ａの回転速度によって、ミストの粒径（微粒子ｐの径）を制御することができる。回転速度が高い程、ミストの粒径は小さくなる。例えば、回転速度が１０００（rotation per minute：ｒｐｍ）程度の低速回転、回転速度が１００００ｒｐｍ程度の中速回転、または、回転速度が２００００ｒｐｍ程度の高速回転が適宜用いられ、所望の粒径が得られる。また、給水口４８１ｃから噴霧装置４８１に供給される水Ｗの流量を調整することにより、ミストの粒径を制御することもできる。
【００６２】
なお、本願明細書において、粒径とは、トイレ装置１０に着水する前の空中に存在する微粒子ｐの粒径であり、例えばザウター平均粒径（総体積／総表面積）である。本願明細書における「粒径」の測定方法については、図１２に関して後述する。また、ミストとは、粒径が３０マイクロメートル（μｍ）以上３００μｍ以下の範囲をいう。ミストの粒径が３０μｍ未満であると、ボウル部８０１、リム部８０５、便座２００などの対象部位を濡らすために長い時間が必要となってしまう。また、次亜塩素酸を含む除菌水を用いた場合、ミストの粒径が３０μｍ未満であると、ミスト中の次亜塩素酸の濃度が減衰しやすく、除菌性能が低下しやすい。一方、ミストの粒径が３００μｍより大きいと、ミストが拡散しにくく、広範囲にミストを噴霧することが困難となる。また、以下の説明において、大粒径のミストとは、粒径が１００μｍ以上３００μｍ以下の範囲のミストであり、中粒径のミストとは、粒径が６０μｍ以上１００μｍ以下の範囲のミストであり、小粒径のミストとは、粒径が３０μｍ以上６０μｍ以下の範囲のミストである。
【００６３】
図７（ａ）及び図７（ｂ）は、実施形態に係る噴霧装置のディスクを例示する平面図である。  
図７（ａ）及び図７（ｂ）は、回転するディスク４８１ｂを上方から見た様子を示す。図７（ａ）の例では、ディスク４８１ｂ上に水Ｗを供給する給水口４８１ｃの数が１つである。この場合、給水口４８１ｃに近い領域では、供給された水Ｗの水膜がディスク４８１ｂ上で薄くなる前に、水Ｗがディスク４８１ｂ上から放射される。このため、図７（ａ）に示すように、噴霧装置４８１の周囲において、ミストの粒径に偏りが生じる。すなわち、ミストの粒径が比較的大きい領域Ｒ１、ミストの粒径が中程度の領域Ｒ２、及び、ミストの粒径が比較的小さい領域Ｒ３が生じる。また、ミストの粒径に応じて、流量（単位時間に噴霧されるミストの量）にも偏りが生じる。すなわち、領域Ｒ１においては流量が多く、領域Ｒ２においては流量が中程度であり、領域Ｒ３においては流量が小さい。
【００６４】
このため、例えば、給水口４８１ｃの位置や、ディスク４８１ｂの回転方向（時計回りまたは反時計回り）によって、噴霧装置４８１から大便器８００内へ向かって噴霧されるミストの粒径、流量、方向などを調整することが可能である。これにより、噴霧装置４８１から噴霧されたミストが着水する範囲、及び各範囲におけるミストの着水量を制御してもよい。また、ディスク４８１ｂの周囲に、ミストが噴霧される方向を制御するカバーなどを適宜設けてもよい。
【００６５】
また、給水口４８１ｃの数は、１つに限られず、複数の給水口４８１ｃが設けられてもよい。例えば、図７（ｂ）では、４つの給水口４８１ｃが設けられている。給水口４８１ｃは、ディスク４８１ｂの中心から見て９０°ごとに配置されている。このように複数の給水口４８１ｃをディスク外周に沿って略等間隔に配置することにより、噴霧装置４８１の周囲において、ミストの粒径や流量の偏りを抑え、均一な噴霧を行うことができる。
【００６６】
噴霧装置４８１は、便座装置１００が大便器８００の上部に設置された状態において、便座２００よりも下方に配置され（図２参照）、大便器８００内に向けてミストを噴霧する。ここで、噴霧装置４８１が便座２００よりも下方に配置されている状態とは、噴霧装置４８１の少なくとも一部（この例ではディスク４８１ｂ）が便座２００よりも下方であることをいう。これにより、便座２００よりも下方から、大便器８００内に水道水または除菌水のミストが噴霧される。
【００６７】
なお、実施形態において、噴霧装置は、図６及び図７に関して説明した装置に限らない。例えば、噴霧装置として、超音波霧化装置を用いてもよい。超音波霧化装置は、液体に超音波を照射することで、液体をミスト状にする。また、例えば、噴霧装置として２流体ノズルを用いてもよい。２流体ノズルは、気体と液体とを共に噴射することで、液体をミスト状にする。ただし、図６及び図７に関して説明した装置を用いた場合には、送風装置５１３によって噴霧範囲を制御しやすいメリットがある。また、目詰まりのリスクも低く、コンプレッサなどの付帯装置も不要である。
【００６８】
実施形態において、吸気装置５２０は、噴霧装置４８１が動作していない（ミストを噴霧していない）状態において、例えば、第１吸引風量（ｍ３／ｈ）で便器８００内の空気を吸引する。また、吸気装置５２０は、噴霧装置４８１が動作している（ミストを噴霧している）状態において、例えば、第２吸引風量（ｍ３／ｈ）で便器８００内の空気を吸引する。制御装置４０５は、第２吸引風量が、第１吸引風量よりも弱く（小さく）なるように、吸気装置５２０を制御する。なお、第２吸引風量は、０ｍ３／ｈでもよい。つまり、吸気装置５２０は、噴霧装置４８１が動作している状態において、便器８００内の空気を吸引しなくてもよい。換言すれば、制御装置４０５は、噴霧装置４８１が動作している状態において、吸気装置５２０の動作を停止させてもよい。
【００６９】
このように、実施形態によれば、噴霧装置４８１が動作しているときには、吸気装置５２０の吸引風量を比較的弱くする、あるいは、吸引を行わない。これにより、噴霧装置４８１から噴霧されるミストを吸気装置５２０が吸引することを抑制できる。従って、噴霧装置４８１から噴霧されるミストの吸引による吸気装置５２０の故障を抑制することができる。
【００７０】
また、実施形態において、制御装置４０５は、噴霧装置４８１が動作する状態において、吸気装置５２０の動作を禁止する。より具体的には、例えば、制御装置４０５は、噴霧装置４８１が動作していない状態から動作する状態になったときに、吸気装置５２０の動作を禁止し、噴霧装置４８１が動作している状態から動作しない状態になったときに、吸気装置５２０の動作の禁止を解除する。換言すれば、制御装置４０５は、例えば、噴霧装置４８１が動作する間だけ吸気装置５２０の動作を禁止する。
【００７１】
吸気装置５２０の動作の禁止において、制御装置４０５は、例えば、吸気装置５２０を動作させる指令の受付を停止する。これにより、噴霧装置４８１の動作が開始されてから、吸気装置５２０が動作することを抑制できる。また、制御装置４０５は、例えば、噴霧装置４８１が動作していない状態から動作する状態になったときに、吸気装置５２０が動作している場合には、吸気装置５２０の動作を停止（中断）する。これにより、噴霧装置４８１の動作が開始されるときに、吸気装置５２０が動作していることを抑制できる。これらにより、噴霧装置４８１が動作する間に吸気装置５２０が動作することを確実に抑制できる。換言すれば、噴霧装置４８１が動作しているときに、吸気装置５２０による吸引を停止させ続けることができる。従って、噴霧装置から噴霧されるミストを吸気装置が吸引することをより確実に抑制できる。なお、吸気動作指令の受付停止と吸気装置５２０の動作の中断とは、いずれかを先に行ってもよいし、同時に行ってもよい。
【００７２】
また、吸気装置５２０の動作の禁止の解除において、制御装置４０５は、例えば、吸気装置５２０を動作させる指令の受付を再開する。これにより、吸気装置５２０が再び動作可能な状態になる。また、制御装置４０５は、例えば、吸気装置５２０の動作の禁止において吸気装置５２０の動作を中断していた場合には、吸気装置５２０の動作を再開する。これにより、中断していた吸気が再開される。換言すれば、噴霧装置４８１の動作の終了をトリガーにして、吸気装置５２０の動作を再開させることができる。これらにより、吸気装置５２０の動作時間が短くなり過ぎることを抑制できる。なお、吸気動作指令の受付再開と吸気装置５２０の動作の再開とは、いずれかを先に行ってもよいし、同時に行ってもよい。
【００７３】
このように、噴霧装置４８１が動作する間だけ吸気装置５２０の動作を禁止することで、噴霧装置４８１から噴霧されるミストを吸気装置５２０が吸引することをより確実に抑制できるとともに、吸気装置５２０の動作時間が短くなり過ぎることを抑制できる。従って、噴霧装置４８１から噴霧されるミストの吸引による吸気装置５２０の故障をより確実に抑制するとともに、吸気装置５２０による脱臭などをより効果的に行うことができる。
【００７４】
なお、小粒径のミストは、中粒径のミストや大粒径のミストに比べて、吸気装置５２０に吸引されやすい。例えば、平均粒径が６０μｍ以下（例えば、３０μｍ以上６０μｍ以下）のミストは、噴霧装置４８１から噴霧された後、すぐに大便器８００内に着水せずに、大便器８００内で滞留しやすい。従って、このような小粒径のミストは、吸気装置５２０が動作すると、吸気口５２５から吸気装置５２０に吸引されやすい。これに対し、実施形態においては、例えば、吸気口５２５の近傍における平均粒径が６０μｍ以下の小粒径のミストを噴霧する場合にも、噴霧装置４８１が動作しているときには、吸気装置５２０の吸引風量を比較的弱くする、あるいは、吸引を行わないことで、ミストを吸気装置５２０が吸引することを抑制できる。
【００７５】
なお、吸気口５２５の近傍における平均粒径は、例えば、吸気口５２５から５ｃｍ以内の範囲の平均粒径である。吸気口５２５の近傍における平均粒径は、例えば、吸気口５２５における平均粒径であってもよい。また、例えば、噴霧装置４８１から吸気口５２５までの間の距離をＸｃｍとすると、噴霧装置４８１からＸｃｍ離れた地点における平均粒径を、吸気口５２５の近傍における平均粒径とみなすことができる。
【００７６】
実施形態において、制御装置４０５は、例えば、プレミストモード、アフターミストモード、及び手動ミストモードの３種類のミストモードを実行可能である。  
プレミストモードは、例えば、使用者のトイレ装置１０の使用前に、検知センサ４０２の検知情報に基づいて、除菌水または水道水のミストを自動で噴霧する動作モードである。アフターミストモードは、例えば、使用者のトイレ装置１０の使用後に、検知センサ４０２の検知情報に基づいて、除菌水のミストを自動で噴霧する動作モードである。手動ミストモードは、手動操作部５００の操作情報に基づいて、除菌水のミストを噴霧する動作モードである。
【００７７】
プレミストモードは、検知センサ４０２が使用者を検知していない状態から使用者を検知している状態となった後に、除菌水または水道水が便座２００に着水しないように、自動的に除菌水のミストまたは水道水のミストを大便器８００内などに噴霧する。プレミストモードにおいてミストを噴霧する範囲は、例えば、ボウル部８０１の上端までの範囲である。より具体的には、プレミストモードにおいてミストを噴霧する範囲は、例えば、溜水８０１ｗの水面からリム部８０５の内壁面８０７の上端までの範囲である。
【００７８】
このように、トイレ装置１０の使用前に、プレミストモードによって大便器８００内などに除菌水のミストまたは水道水のミストを噴霧することで、大便器８００内に水膜を形成し、汚物の固着を抑制することができる。
【００７９】
アフターミストモードは、検知センサ４０２が使用者を検知している状態から使用者を検知しない状態となった後に、自動的に除菌水のミストを大便器８００内（ボウル部８０１）、及び便座２００などに噴霧する。アフターミストモードにおいてミストを噴霧する範囲は、例えば、ボウル部８０１から便座２００の上面２０３までの範囲である。より具体的には、アフターミストモードにおいてミストを噴霧する範囲は、例えば、溜水８０１ｗの水面から便座２００の上面２０３までの範囲である。
【００８０】
このように、トイレ装置１０の使用後に、アフターミストモードによって大便器８００内及び便座２００などに除菌水のミストを噴霧することで、大便器８００や便座部２００などの広い範囲において菌や汚れの発生を抑制することができる。
【００８１】
手動ミストモードは、使用者が手動操作部５００を操作した後に、除菌水のミストを大便器８００内及び便座２００などに噴霧する。手動ミストモードは、便座装置１００の使用前・使用後・掃除時などのタイミングで実行される。手動ミストモードにおいてミストを噴霧する範囲は、例えば、ボウル部８０１から便座２００の上面２０３までの範囲である。より具体的には、手動ミストモードにおいてミストを噴霧する範囲は、例えば、溜水８０１ｗの水面から便座２００の上面２０３までの範囲である。
【００８２】
このように、手動ミストモードにより、大便器８００内及び便座２００などに除菌水のミストを噴霧することで、さらに菌や汚れの発生を抑制することができる。例えば、アフターミストモードによって抑制することが困難な固着汚れに対して、着水した除菌水をトイレットペーパー等を用いて拭き取ることにより、除菌することができる。使用者は、専用の除菌ペーパーを用いずに手軽に拭き取り除菌を行うことができる。また、例えば、トイレ装置１０の使用前に便座２００の汚れが気になる使用者は、手動ミストモードによって便座２００を除菌することができる。使用者自らの操作に基づいて除菌が実行されるため、使用者の安心感や満足感を高めることができる。
【００８３】
実施形態では、例えば、プレミストモード、アフターミストモード、及び手動ミストモードのそれぞれのミストモードにおいて、上記の制御装置４０５による吸気装置５２０の動作の制御を行う。
【００８４】
図８は、実施形態に係る便座装置のプレミストモードにおける動作を例示するフローチャートである。  
人体検知センサ４０３が使用者の入室を検知すると（ステップＳ１０１：Ｙｅｓ）、制御装置４０５は、吸気装置５２０の動作状態を判定する（ステップＳ１０２）。吸気装置５２０が動作している場合（ステップＳ１０２：Ｙｅｓ）、制御装置４０５は、吸気装置５２０の動作を停止し（ステップＳ１０３）、吸気装置５２０を動作させる指令の受付を停止する（ステップＳ１０４）。吸気装置５２０が動作していない場合（ステップＳ１０２：Ｎｏ）、制御装置４０５は、吸気装置５２０を動作させる指令の受付を停止する（ステップＳ１０４）。
【００８５】
制御装置４０５は、便蓋用モータ５１２を制御して便蓋３００を開き、電磁弁４３１を開き、噴霧装置４８１のモータ４８１ａ及びディスク４８１ｂを反時計回り（ＣＣＷ）に中速回転させる（ステップＳ１０５）。電磁弁４３１が開くことで、ディスク４８１ｂへの給水が開始される。
【００８６】
制御装置４０５は、ディスク４８１ｂが中速回転した状態を所定時間、維持する（ステップＳ１０６：Ｎｏ）。これにより、ディスク４８１ｂ上の残水をディスク４８１ｂ上から排出することができる。このとき、例えばミストダンパ４８２は閉じているため、大便器８００内へミストは噴霧されない。
【００８７】
所定時間が経過すると（ステップＳ１０６：Ｙｅｓ）、制御装置４０５は、ノズルモータ４７６によりノズル４７３をボウル部８０１内へ進出させる。これに伴い、ミストダンパ４８２が開く（ステップＳ１０７）。これにより、大便器８００内への水道水のミストの噴霧が開始する。制御装置４０５は、反時計回りに中速回転するディスク４８１ｂから水道水のミストが噴霧される状態を所定時間、維持する（ステップＳ１０８：Ｎｏ）。
【００８８】
所定時間が経過すると（ステップＳ１０８：Ｙｅｓ）、制御装置４０５は、噴霧装置４８１のモータ４８１ａ及びディスク４８１ｂを時計回り（ＣＷ）に中速回転させる（ステップＳ１０９）。制御装置４０５は、時計回りに中速回転するディスク４８１ｂから水道水のミストが噴霧される状態を所定時間、維持する（ステップＳ１１０：Ｎｏ）。
【００８９】
制御装置４０５は、所定時間が経過すると（ステップＳ１１０：Ｙｅｓ）、噴霧装置４８１のモータ４８１ａ及びディスク４８１ｂを時計回り（ＣＷ）に低速回転させる（ステップＳ１１１）。制御装置４０５は、時計回りに低速回転するディスク４８１ｂから水道水のミストが噴霧される状態を所定時間、維持する（ステップＳ１１２：Ｎｏ）。
【００９０】
所定時間が経過すると（ステップＳ１１２：Ｙｅｓ）、制御装置４０５は、電磁弁４３１を閉じる（ステップＳ１１３）。制御装置４０５は、ディスク４８１ｂへの給水が停止し、ディスク４８１ｂが低速で回転した状態を所定時間、維持する（ステップＳ１１４：Ｎｏ）。これにより、ディスク４８１ｂ上の残水を除去することができる。
【００９１】
所定時間が経過すると（ステップＳ１１４：Ｙｅｓ）、制御装置４０５は、モータ４８１ａ及びディスク４８１ｂの回転を停止し、ノズルモータ４７６によりノズル４７３をケーシング４００内へ後退させる。これに伴い、ミストダンパ４８２が閉じる（ステップＳ１１５）。また、制御装置４０５は、吸気装置５２０を動作させる指令の受付を再開する（ステップＳ１１６）。以上で、プレミストモードが終了する。
【００９２】
図９は、実施形態に係る便座装置のアフターミストモードにおける動作を例示するフローチャートである。  
人体検知センサ４０３が使用者の退室を検知すると（ステップＳ２０１：Ｙｅｓ）、制御装置４０５は、吸気装置５２０の動作状態を判定する（ステップＳ２０２）。吸気装置５２０が動作している場合（ステップＳ２０２：Ｙｅｓ）、制御装置４０５は、吸気装置５２０の動作を中断し（ステップＳ２０３）、吸気装置５２０を動作させる指令の受付を停止する（ステップＳ２０４）。吸気装置５２０が動作していない場合（ステップＳ２０２：Ｎｏ）、制御装置４０５は、吸気装置５２０を動作させる指令の受付を停止する（ステップＳ２０４）。
【００９３】
制御装置４０５は、便蓋用モータ５１２を制御して便蓋３００を閉じ、電磁弁４３１を開き、噴霧装置４８１のモータ４８１ａ及びディスク４８１ｂを反時計回り（ＣＣＷ）に高速回転させる（ステップＳ２０５）。電磁弁４３１が開くことで、ディスク４８１ｂへの給水が開始される。
【００９４】
制御装置４０５は、ディスク４８１ｂが高速回転した状態を所定時間、維持する（ステップＳ２０６：Ｎｏ）。これにより、ディスク４８１ｂ上の残水をディスク４８１ｂ上から排出することができる。このとき、例えばミストダンパ４８２は閉じているため、大便器８００内へミストは噴霧されない。
【００９５】
所定時間が経過すると（ステップＳ２０６：Ｙｅｓ）、制御装置４０５は、ノズルモータ４７６によりノズル４７３をボウル部８０１内へ進出させる。これに伴い、ミストダンパ４８２が開く（ステップＳ２０７）。
【００９６】
その後、制御装置４０５は、除菌装置４５０を制御して除菌水の生成を開始し、送風装置５１３を制御して大便器８００内への送風を開始する（ステップＳ２０８）。これにより、大便器８００内（ボウル部８０１）、便座２００、及び便蓋３００などへの除菌水のミストの噴霧が開始する。制御装置４０５は、反時計回りに高速回転するディスク４８１ｂから除菌水のミストが噴霧される状態を所定時間、維持する（ステップＳ２０９：Ｎｏ）。
【００９７】
所定時間が経過すると（ステップＳ２０９：Ｙｅｓ）、制御装置４０５は、噴霧装置４８１のモータ４８１ａ及びディスク４８１ｂを時計回り（ＣＷ）に高速回転させる（ステップＳ２１０）。制御装置４０５は、時計回りに高速回転するディスク４８１ｂから除菌水のミストが噴霧される状態を所定時間、維持する（ステップＳ２１１：Ｎｏ）。
【００９８】
所定時間が経過すると（ステップＳ２１１：Ｙｅｓ）、制御装置４０５は、送風装置５１３を制御して送風を停止し、除菌装置４５０を制御して除菌水の生成を停止し、モータ４８１ａ及びディスク４８１ｂを時計回り（ＣＷ）に低速回転させる（ステップＳ２１２）。
【００９９】
制御装置４０５は、ディスク４８１ｂに水道水が供給され、ディスク４８１ｂが低速回転した状態を所定時間、維持する（ステップＳ２１３：Ｎｏ）。これにより、ディスク４８１ｂのセルフクリーニングが行われる。なお、セルフクリーニングとは、あえてミストを発生させない程度の回転数で、ディスクを物理洗浄する動作である。セルフクリーニングには、除菌水を用いても構わない。
【０１００】
所定時間が経過すると（ステップＳ２１３：Ｙｅｓ）、制御装置４０５は、電磁弁４３１を閉じる（ステップＳ２１４）。制御装置４０５は、ディスク４８１ｂへの給水が停止し、ディスク４８１ｂが低速で回転した状態を所定時間、維持する（ステップＳ２１５：Ｎｏ）。これにより、ディスク４８１ｂ上の残水を除去することができる。
【０１０１】
所定時間が経過すると（ステップＳ２１５：Ｙｅｓ）、制御装置４０５は、モータ４８１ａ及びディスク４８１ｂの回転を停止し、ノズルモータ４７６によりノズル４７３をケーシング４００内へ後退させる。これに伴い、ミストダンパ４８２が閉じる。また、制御装置４０５は、便座ヒータ５１５をＯＮ（通電状態）にする（ステップＳ２１６）。
【０１０２】
制御装置４０５は、吸気装置５２０を動作させる指令の受付を再開する（ステップＳ２１７）。また、制御装置４０５は、ステップＳ２０３において吸気装置５２０の動作を中断したか否かを判断する（ステップＳ２１８）。吸気装置５２０の動作を中断した場合（ステップＳ２１８：Ｙｅｓ）、制御装置４０５は、吸気装置５２０の動作を再開する（ステップＳ２１９）。
【０１０３】
吸気装置５２０の動作を再開した（ステップＳ２１９）後、または、吸気装置５２０の動作を中断していない場合（ステップＳ２１８：Ｎｏ）、制御装置４０５は、便座ヒータ５１５がＯＮの状態を所定時間、維持する（ステップＳ２２０：Ｎｏ）。これにより、便座２００の温度を上昇させて、便座２００に着水した除菌水を蒸発させ、便座２００を乾かすことができる。なお、便座ヒータ５１５の代わりに、送風装置５１３と温風ヒータ５１４とを駆動させ、温風により便座２００を乾燥させてもよい。
【０１０４】
所定時間が経過すると（ステップＳ２２０：Ｙｅｓ）、制御装置４０５は、便座ヒータ５１５をＯＦＦ（非通電状態）とする（ステップＳ２２１）。以上で、アフターミストモードが終了する。
【０１０５】
図１０は、実施形態に係る便座装置の手動ミストモードにおける動作を例示するフローチャートである。  
使用者が手動操作部５００を操作すると（ステップＳ３０１：Ｙｅｓ）、制御装置４０５は、吸気装置５２０の動作状態を判定する（ステップＳ３０２）。吸気装置５２０が動作している場合（ステップＳ３０２：Ｙｅｓ）、制御装置４０５は、吸気装置５２０の動作を中断し（ステップＳ３０３）、吸気装置５２０を動作させる指令の受付を停止する（ステップＳ３０４）。吸気装置５２０が動作していない場合（ステップＳ３０２：Ｎｏ）、制御装置４０５は、吸気装置５２０を動作させる指令の受付を停止する（ステップＳ３０４）。
【０１０６】
制御装置４０５は、便蓋用モータ５１２を制御して便蓋３００を閉じ、電磁弁４３１を開き、噴霧装置４８１のモータ４８１ａ及びディスク４８１ｂを反時計回り（ＣＣＷ）に高速回転させる（ステップＳ３０５）。電磁弁４３１が開くことで、ディスク４８１ｂへの給水が開始される。
【０１０７】
制御装置４０５は、ディスク４８１ｂが高速回転した状態を所定時間、維持する（ステップＳ３０６：Ｎｏ）。これにより、ディスク４８１ｂ上の残水をディスク４８１ｂ上から排出することができる。このとき、例えばミストダンパ４８２は閉じているため、大便器８００内へミストは噴霧されない。
【０１０８】
所定時間が経過すると（ステップＳ３０６：Ｙｅｓ）、制御装置４０５は、ノズルモータ４７６によりノズル４７３をボウル部８０１内へ進出させる。これに伴い、ミストダンパ４８２が開く（ステップＳ３０７）。
【０１０９】
その後、制御装置４０５は、除菌装置４５０を制御して除菌水の生成を開始し、送風装置５１３を制御して大便器８００内への送風を開始する（ステップＳ３０８）。これにより、大便器８００内（ボウル部８０１）、便座２００、及び便蓋３００などへの、除菌水のミストの噴霧が開始する。制御装置４０５は、反時計回りに高速回転するディスク４８１ｂから除菌水のミストが噴霧される状態を所定時間、維持する（ステップＳ３０９：Ｎｏ）。
【０１１０】
所定時間が経過すると（ステップＳ３０９：Ｙｅｓ）、制御装置４０５は、噴霧装置４８１のモータ４８１ａ及びディスク４８１ｂを時計回り（ＣＷ）に高速回転させる（ステップＳ３１０）。制御装置４０５は、時計回りに高速回転するディスク４８１ｂから除菌水のミストが噴霧される状態を所定時間、維持する（ステップＳ３１１：Ｎｏ）。
【０１１１】
所定時間が経過すると（ステップＳ３１１：Ｙｅｓ）、制御装置４０５は、送風装置５１３を制御して送風を停止し、除菌装置４５０を制御して除菌水の生成を停止し、モータ４８１ａ及びディスク４８１ｂを時計回り（ＣＷ）に低速回転させる（ステップＳ３１２）。
【０１１２】
制御装置４０５は、ディスク４８１ｂに水道水が供給され、ディスク４８１ｂが低速回転した状態を所定時間、維持する（ステップＳ３１３：Ｎｏ）。これにより、ディスク４８１ｂのセルフクリーニングが行われる。
【０１１３】
所定時間が経過すると（ステップＳ３１３：Ｙｅｓ）、制御装置４０５は、電磁弁４３１を閉じる（ステップＳ３１４）。制御装置４０５は、ディスク４８１ｂへの給水が停止し、ディスク４８１ｂが低速で回転した状態を所定時間、維持する（ステップＳ３１５：Ｎｏ）。これにより、ディスク４８１ｂ上の残水を除去することができる。
【０１１４】
所定時間が経過すると（ステップＳ３１５：Ｙｅｓ）、制御装置４０５は、モータ４８１ａ及びディスク４８１ｂの回転を停止し、ノズルモータ４７６によりノズル４７３をケーシング４００内へ後退させる。これに伴い、ミストダンパ４８２が閉じる（ステップＳ３１６）。
【０１１５】
制御装置４０５は、吸気装置５２０を動作させる指令の受付を再開する（ステップＳ３１７）。また、制御装置４０５は、ステップＳ３０３において吸気装置５２０の動作を中断したか否かを判断する（ステップＳ３１８）。吸気装置５２０の動作を中断した場合（ステップＳ３１８：Ｙｅｓ）、制御装置４０５は、吸気装置５２０の動作を再開する（ステップＳ３１９）。以上で、手動ミストモードが終了する。吸気装置５２０の動作を中断していない場合（ステップＳ３１８：Ｎｏ）、手動ミストモードが終了する。また、使用者は、手動ミストモード後に、トイレットペーパー等で便座部２００に着水した除菌水を適宜拭き取ることで、便座部２００を除菌することができる。
【０１１６】
図８〜図１０に示した例では、制御装置４０５は、吸気動作指令の受付を停止した後は、吸気動作指令の受付を再開するまで、吸気動作指令があっても吸気装置５２０を動作させないように制御する。つまり、図８〜図１０に示した例では、制御装置４０５は、吸気動作指令の受付停止後において、自動吸気モードの指令も手動吸気モードの指令も受け付けない。換言すれば、図８〜図１０に示した例においては、吸気装置５２０の動作よりも、噴霧装置４８１の動作が優先される。一方、実施形態の変形例において、制御装置４０５は、吸気動作指令の受付停止後において、自動吸気モードの指令は受け付けず、手動吸気モードの指令は受け付けてもよい。つまり、変形例においては、噴霧装置４８１の動作よりも、吸気装置５２０の手動吸気モードの動作が優先されてもよい。なお、この変形例においても、例えば、吸気装置５２０の自動吸気モードの動作よりも、噴霧装置４８１の動作が優先される。
【０１１７】
図１１は、実施形態に係る便座装置の変形例の手動吸気モードにおける動作を例示するフローチャートである。  
使用者が手動操作部５００を操作すると（ステップＳ４０１：Ｙｅｓ）、制御装置４０５は、噴霧装置４８１の動作状態を判定する（ステップＳ４０２）。噴霧装置４８１が動作している場合（ステップＳ４０２：Ｙｅｓ）、制御装置４０５は、噴霧装置４８１の動作を停止し（ステップＳ４０３）、吸気装置５２０の動作を開始する（ステップＳ４０４）。噴霧装置４８１が動作していない場合（ステップＳ４０２：Ｎｏ）、制御装置４０５は、吸気装置５２０の動作を開始する（ステップＳ４０４）。以上で、手動吸気モードが終了する。
【０１１８】
なお、手動吸気モードにおいて吸気装置５２０が動作している状態で、人体検知センサ４０３が使用者の退室を検知した場合は、制御装置４０５は、上記のアフターミストモードを実行する。また、手動吸気モードにおいて吸気装置５２０が動作している状態で、使用者が手動操作部５００を操作した場合は、制御装置４０５は、上記の手動ミストモードを実行する。
【０１１９】
図１２（ａ）及び図１２（ｂ）は、実施形態に係る粒径の測定方法を例示する斜視図である。  
粒径の測定には、レーザ回折法が用いられる。微粒子にレーザを照射すると、その微粒子から様々な方向に向かう回折散乱光が生じる。回折散乱光の強さは、光が発せられる方向において空間パターンを有する。この空間パターンは、光強度分布パターンと呼ばれる。光強度分布パターンは、微粒子の粒径によって変化する。微粒子の粒径と光強度分布パターンとの相関を利用し、光強度分布パターンを検出することで粒径を算出することができる。
【０１２０】
図１２（ａ）及び図１２（ｂ）に示すように、粒径の測定装置６００は、発光部６０１と受光部６０２とを有する。受光部６０２は、発光部６０１が発するレーザを受光可能に設けられている。粒径の測定においては、発光部６０１が発するレーザを噴霧装置４８１から噴霧されるミストＭに照射する。受光部６０２は、レーザの照射によって生じた回折散乱光を受光する。これにより、光強度分布パターンを検出することができる。測定装置には、エアロトラックＬＤＳＡ−３５００Ａ（マイクロトラック・ベル株式会社製）を用いることができる。
【０１２１】
図１３（ａ）及び図１３（ｂ）は、実施形態の変形例に係るトイレ装置の一部を例示する平面図及び断面図である。  
図１３（ａ）は、トイレ装置の一部を前方から見た平面図である。図１３（ｂ）は、図１３（ａ）に示すＡ−Ａ線における断面図である。  
図１３（ａ）及び図１３（ｂ）に示すように、この例では、ミストダンパ４８２が設けられておらず、ケーシング４００にスリットＳが設けられている。噴霧装置４８１はケーシング４００内に配置されており、スリットＳは、噴霧装置４８１の前方下部に位置する。例えば、スリットＳの上端面Ｓ１の高さ（上下方向における位置）は、ディスク４８１ｂの底面Ｂ１の高さと同じであり、上端面Ｓ１と底面Ｂ１とは同一平面上である。または、上端面Ｓ１は、底面Ｂ１よりも低くてもよい。
【０１２２】
ディスク４８１ｂの上面は、水平から傾いており、ディスク４８１ｂは、ミストＭを水平よりも若干下方へ向けて噴霧する。ディスク４８１ｂから噴霧されたミストＭは、スリットＳを通過し、ボウル部８０１内へ向けて噴霧される。これにより、図５で示したようなミストダンパ４８２を設けないため、トイレ装置のデザイン性や清掃性を損ねることなく、尿などの汚れＹが噴霧装置４８１に付着することを防止することができる。
【０１２３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、大便器、便座装置などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１２４】
１０ トイレ装置、  １００ 便座装置、  １１０〜１１３ 流路、  ２００ 便座、  ２００ａ 開口、  ２０３ 上面、  ２０４ 下面、  ３００ 便蓋、  ４００ ケーシング、  ４０２ 検知センサ、  ４０３ 人体検知センサ、  ４０４ 着座検知センサ、  ４０５ 制御装置、  ４３１ 電磁弁、  ４５０ 除菌装置、  ４７２ 切替弁、  ４７３ ノズル、  ４７４ 吐水口、  ４７６ ノズルモータ、  ４７８ ノズル洗浄室、  ４７９ ノズルダンパ、  ４８１ 噴霧装置、  ４８１ａ モータ、  ４８１ｂ ディスク、  ４８１ｃ 給水口、  ４８２ ミストダンパ、  ５００ 手動操作部、  ５１１ 便座用モータ、  ５１２ 便蓋用モータ、  ５１３ 送風装置、  ５１４ 温風ヒータ、  ５１５ 便座ヒータ、  ５１６ 送風ダンパ、  ５１６ａ 開口、  ５２０ 吸気装置、  ５２５ 吸気口、  ６００ 測定装置、  ６０１ 発光部、  ６０２ 受光部、  ８００ 大便器、  ８０１ ボウル部、  ８０１ｗ 溜水、  ８０５ リム部、  ８０５Ｂ 屈曲部、  ８０６ 上面、  ８０７ 内壁面、  ８１１ ボウル給水口、  Ｂ１ 底面、  Ｍ ミスト、  ｐ 微粒子、  Ｒ１〜Ｒ３ 領域、  Ｓ スリット、  Ｓ１ 上端面、  Ｗ 水、  Ｙ 汚れ
【図１】
2019170475.tif 000003
【図２】
2019170475.tif 000004
【図３】
2019170475.tif 000005
【図４】
2019170475.tif 000006
【図５】
2019170475.tif 000007
【図６】
2019170475.tif 000008
【図７】
2019170475.tif 000009
【図８】
2019170475.tif 000010
【図９】
2019170475.tif 000011
【図１０】
2019170475.tif 000012
【図１１】
2019170475.tif 000013
【図１２】
2019170475.tif 000014
【図１３】
2019170475.tif 000015